(57)【特許請求の範囲】
【請求項１】
雨仕舞い性を備える取付対象面上に連続状の桟部材を配し、該桟部材の所定位置に太陽電池パネルを固定する敷設構造であって、
前記桟部材は、隣り合う太陽電池パネル間に配され、略中央に塔状部を有する連続状の本体と、前記塔状部の頂部に載置する支持面部の左右に、少なくとも太陽電池パネルを固定する箇所にその裏面を支持するフランジを備える定尺材と組み合わせてなり、前記定尺材は、前記支持面部と前記フランジとが異なる高さを有する段状であり、
太陽電池パネルは、太陽電池パネルを固定する箇所以外の、前記締め付けボルトも前記定尺材も押さえ材も存在しない箇所において、太陽電池パネルの側面又は底面と桟部材本体の上面又は側壁との間に、太陽電池パネルの裏面空間に連通する隙間を形成して固定されていることを特徴とする太陽電池パネルの敷設構造。
【請求項２】
太陽電池パネルの上面を押さえる押さえ材と桟部材の定尺材とで上下に挟み込むように固定されていることを特徴とする請求項１に記載の太陽電池パネルの敷設構造。
【発明の詳細な説明】
【技術分野】
【０００１】
本発明は、太陽電池パネル間から浸水等があっても、桟部材上で雨水等が滞留しない太陽電池パネルの敷設構造に関する。
【背景技術】
【０００２】
太陽電池を屋根に導入する場合、様々な太陽電池パネルに対応するために、連続状の縦桟又は横桟（もしくは縦横両方）を配し、これらの桟部材に対して太陽電池パネルが取り付けられている。
【０００３】
例えば特許文献１には、折板屋根２上にベースチャンネル３を取り付け、更にそのベースチャンネル３上、流れ方向に沿って配設された根太（固定部材）６上で太陽電池パネル１の枠材１１の一部を重合させて締結ボルト３１にて取り付けられている。
また、特許文献２には、折板上に長尺部材９を配し、ボルトナットを用いて太陽電池パネルを上金具と固定しているものである。
【先行技術文献】
【特許文献】
【０００４】
【特許文献１】特開２００３−５６１４７号公報
【特許文献２】特許第３３５２６４７号公報
【発明の概要】
【発明が解決しようとする課題】
【０００５】
しかしながら、前記特許文献１では、折板屋根は緩勾配が多いため、太陽電池パネル枠材の重合部分に塵やほこり、土等が堆積しやすく、固定部分（例えば締結ボルト３１等）の劣化や屋根としての意匠を損なう恐れがあった。
また、前記特許文献２の構造では、長尺部材が流れ方向に交わる方向に配されるため、パネル間に侵入した塵や土もしくはそれを含む雨水が滞留し易いという上記と同様の問題があった。また、長尺部材に侵入した雨水は横方向にしか流水経路がないため、長尺部材内に塵等が上述のものより堆積し易かった。
【０００６】
そこで、本発明者らは、太陽電池パネル間から浸水等があっても、桟部材上で雨水等が滞留しない構造を提案することを目的とする。
【課題を解決するための手段】
【０００７】
本発明は、上記に鑑み提案されたものであって、雨仕舞い性を備える取付対象面上に連続状の桟部材を配し、該桟部材の所定位置に太陽電池パネルを固定する敷設構造であって、前記桟部材は、隣接する太陽電池パネル間に配される連続状の本体（主材）と、少なくとも太陽電池パネルを固定する箇所にその裏面を支持するフランジを備える定尺材（副材）と組み合わせてなり、前記桟部材は、隣り合う太陽電池パネル間に配され、略中央に塔状部を有する連続状の本体と、前記塔状部の頂部に載置する支持面部の左右に、少なくとも太陽電池パネルを固定する箇所にその裏面を支持するフランジを備える定尺材と組み合わせてなり、前記定尺材は、前記支持面部と前記フランジとが異なる高さを有する段状であり、太陽電池パネルは、太陽電池パネルを固定する箇所以外の、前記定尺材も押さえ材も存在しない箇所において、太陽電池パネルの側面又は底面と桟部材本体の上面又は側壁との間に、太陽電池パネルの裏面空間に連通する隙間を形成して固定されていることを特徴とする太陽電池パネルの敷設構造に関するものである。
【０００９】
また、本発明は、前記敷設構造において、太陽電池パネルの上面を押さえる押さえ材と桟部材の定尺材とで上下に挟み込むように固定されていることを特徴とする太陽電池パネルの敷設構造をも提案する。
【発明の効果】
【００１０】
本発明の太陽電池パネルの敷設構造は、桟部材が連続材であるため、太陽電池パネルが配設される所定の固定箇所や太陽電池パネルのサイズに制限を受けずに施工することができ、しかも十分な固定強度を得ることができる。
そして、本発明の敷設構造では、太陽電池パネルの裏面空間に連通する隙間が形成されているので、太陽電池パネルの表面側から塵やほこり、土等が侵入しても前記隙間から裏面空間に容易に導くことができ、取付対象面の排水構造にて円滑に水下側へ排出することができる。
したがって、太陽電池パネル同士の接続部分に堆積する塵やほこり、土等は、雨水と共に太陽電池パネルの裏面空間に導くことにより、太陽光の発電効率を高く維持できる。
【００１１】
また、桟部材が、連続状の本体と、フランジを備える定尺材とを組み合わせてなる場合には、本体も定尺材も簡易な形状とすることができるため、部材作成コストを低く抑えることができる。
【００１２】
また、太陽電池パネルの上面を押さえる押さえ材と桟部材とで上下に挟み込むように固定されている場合、例えば押さえ材を桟部材に対して上方から締着状に取り付ける構成とすればよく、極めて取付強度が高い敷設構造が得られる。
【図面の簡単な説明】
【００１３】
【図１】（ａ）本発明の敷設構造の一実施例（第１実施例）における裏面空間に連通する隙間が形成される部分を示す正断面図、（ｂ）隙間が形成されない部分を示す正断面図、（ｃ）それに用いた桟部材本体（主材）を示す拡大正面図、（ｄ）それに用いた定尺材（副材）を示す拡大正面図、（ｅ）それに用いた押さえ材を示す拡大正面図である。
【図２】（ａ）第１実施例の敷設構造を含む外装構造の一実施例を示す側断面図、（ｂ）それに用いた固定部材と支持部材を示す正面図、（ｃ）固定部材の正面図、（ｄ）その側面図、（ｅ）支持部材の正面図である。
【図３】（ａ）第１実施例の敷設構造を含む外装構造の一実施例を構築する施工手順を示し、屋根上に固定部材を固定した状態を示す斜視図、（ｂ）固定部材に支持部材を取り付けた状態を示す斜視図、（ｃ）更に桟部材本体（主材）を臨ませた状態を示す斜視図、（ｄ）桟部材本体（主材）を固定する状態を示す斜視図、（ｅ）定尺材（副材）を配設した状態を示す拡大斜視図、（ｆ）更に押さえ材及び太陽電池パネルを臨ませた状態を示す拡大斜視図、（ｇ）押さえ材及び太陽電池パネルを取り付けた状態を示す拡大斜視図である。
【図４】（ａ）本発明の敷設構造の他の一実施例（第２実施例）における裏面空間に連通する隙間が形成される部分を示す正断面図、（ｂ）隙間が形成されない部分を示す正断面図、（ｃ）他の一実施例（第３実施例）における裏面空間に連通する隙間が形成される部分を示す正断面図、（ｄ）隙間が形成されない部分を示す正断面図である。
【図５】（ａ）本発明の敷設構造の他の一実施例（第４実施例）における裏面空間に連通する隙間が形成される部分を示す正断面図、（ｂ）隙間が形成されない部分を示す正断面図、（ｃ）他の一実施例（第５実施例）における裏面空間に連通する隙間が形成される部分を示す正断面図、（ｄ）隙間が形成されない部分を示す正断面図である。
【発明を実施するための形態】
【００１４】
本発明の太陽電池パネルの敷設構造は、取付対象面上に連続状の桟部材を配し、該桟部材の所定位置に太陽電池パネルを固定することができるものであって、前記桟部材は、少なくとも太陽電池パネルを固定する箇所にその裏面を支持するフランジが形成され、太陽電池パネルは、太陽電池パネルと桟部材との間に、太陽電池パネルの裏面空間に連通する隙間を形成して固定されていることを特徴とする。
【００１５】
本発明における取付対象面は、連続材である桟部材を固定する取付対象を指し、雨仕舞い性を備える新設屋根又は既存屋根、或いは該屋根に固定した持出金具等を指す。
【００１６】
本発明における桟部材は、少なくとも太陽電池パネルを固定する箇所にその裏面を支持するフランジが形成されるものであれば、それ以外の構成は特に限定するものではない。
そして、このような桟部材としては、特に限定するものではないが、連続材である本体（主材）とフランジを備える定尺材（副材）とを組み合わせた構成が望ましい。
なお、これらの本体と定尺材とは、敷設状態において一体的に組み付けられていればよく、特にその組み付け手段について限定するものではない。例えば後述する図示実施例では、本体に上方が開放する溝部を形成し、該溝部に締め付けボルトの頭部を保持させ、通孔を設けた定尺材や押さえ材を前記締め付けボルトに貫通させた状態でナットを締め付けることにより、一体的に組み付ける方法を採用したが、特にこの構成に限定するものではない。
【００１７】
また、後述する図示実施例のように太陽電池パネルの上面を押さえる押さえ材と桟部材とで上下に挟み込むように固定することが望ましく、例えば押さえ材を桟部材に対して上方から締着状に取り付ける（締め付けて取り付ける）構成とすればよく、極めて取付強度が高い敷設構造が得られる。
【００１８】
本発明にて敷設される太陽電池パネルとしては、特にその具体的構成を限定するものではなく、例えば後述する図示実施例に示すように面板部に太陽エネルギー変換モジュール（以下、太陽電池という）を備え、該面板部の少なくとも対向する側縁に成形部（フレーム材）を設けた構成でもよいし、桟部材を介在させて太陽電池パネルを取り付けるようにしてもよい。
前記太陽電池は、特にその構成及び形状を限定するものではなく、多結晶，単結晶，アモルファス等のシリコン系、化合物系、有機系などどのような太陽電池を用いてもよい。
本発明における太陽電池パネルとは、モジュールを備えたパネル、ボード、シート等のその状態で直接もしくは固定部材等を介して間接的に取付（敷設）可能なのものを指す。
例えばモジュール周縁に枠体（フレーム）を配して矩形状としたものであっても、枠体にパネル同士の接続部分等を設けるものであってもよく、その構成は特に限定するものではない。また、太陽電池パネルの固定方法は、ビス等によって前記桟部材のフランジに直接固定するものであっても、固定部材（押さえ部材）と桟部材との間に挟着状に固定するものであってもよい。さらに、太陽電池パネルの敷設状態（取付状態）は、平坦状に表れるものであっても、階段状に表れるものであってもよく、特に限定するものではない。
【００１９】
そして、本発明の太陽電池パネルの敷設構造では、太陽電池パネルの表面に付着、堆積する塵やほこり、土等を、雨水と共に太陽電池パネルの裏面空間に導いて流れ方向の水下側へ流下（排出）することができる。その結果、太陽電池パネルの表面は、太陽光の吸収を妨げる塵等の付着や堆積がなく美麗に維持されるため、太陽光の発電効率を高く維持できる。
【実施例】
【００２０】
図１（ａ），（ｂ）に示す第１実施例の太陽電池パネル１の敷設構造は、取付対象面６Ａ上に連続状の桟部材３を配し、該桟部材３の所定位置に太陽電池パネル１を固定することができるものであって、前記桟部材３は、少なくとも太陽電池パネルを固定する箇所にその裏面を支持するフランジ３１が形成され、太陽電池パネル１は、太陽電池パネル１の側面及び底面と桟部材３の上面及び側壁との間に、太陽電池パネル１の裏面空間に連通する隙間を形成して固定されている。なお、太陽電池パネル１の表面側から雨水と共に塵やほこり、土等を導く状況を図１（ａ）中に矢印にて示したが、前記隙間から裏面空間への流れとなっている。
以下、詳細に説明する。
【００２１】
前記桟部材３は、連続材である本体（主材）３Ａとフランジ３１を備える定尺材（副材）３Ｂとを組み合わせた構成である。
図示実施例の桟部材本体３Ａは、図１（ｃ）に示すように、中央に空間部を有する略矩形状成形体である連続材であって、取付対象面６Ａに接地する底面の左右に略Ｌ字状の受片である固定部３２．３２と、高さ方向中程の左右に定尺材３Ｂの脚状部（接続部３３，３３）を受ける略肩状の受部（接続受部３４，３４）と、略中央に、頂部に上方が開放する溝部３６１を備える塔状部３６とを有する。この溝部３６１は、内部に断面が略矩形状の空間を備え、開放部に内側へせり出した突出部が設けられ、内部空間に締め付けボルト３ｃの頭部を収納し、脱落を防止しつつ長さ方向に調整（スライド）可能である。
図示実施例の定尺材３Ｂは、図１（ｄ）に示すように、略ハット状成形体であるピース材であって、左右の外方へ延在するフランジ３１，３１から下方へ脚状部（接続部３３，３３）が延在し、左右のフランジ３１，３１を逆Ｕ字状の支持面部３５が連結する構成であり、該支持面部３５の略中央には通孔３５１が設けられている。
より詳しくは、前記定着材３Ｂの脚状部（接続部３３，３３）は、下向き鏃状の係止部が設けられ、前記本体３Ａの受部（接続受部３４，３４）にはその係止部と係合する係合受部が形成され、弾性的に係合して取り付けられる。また、前記定着材３Ｂの支持面部３５は、前記本体３Ａの塔状部３６の頂部に載置状に配される。
【００２２】
また、図示実施例では、隣り合う太陽電池パネル１，１間に跨って、図１（ｅ）に示す断面逆ハット状の押さえ材４が配され、その左右の押さえフランジ４１，４１にて上方から押さえ付けるようにした。
この押さえ材４は、前記定尺材３Ｂと同様にピース材であって、後述する図３（ｆ）等に示すようにほぼ同位置に配設する。
このように、第１実施例では、図１（ｂ）に示すように、前記桟部材３（３Ａ．３Ｂ）のフランジ３１にて太陽電池パネル１裏面を支持するばかりでなく、押さえ材４の押さえフランジ４１にて上方から押さえ付けるようにしたので、太陽電池パネル１の端縁は、上下から挟まれるように固定（挟着）される。
【００２３】
前記桟部材３に取り付けられる太陽電池パネル１は、太陽電池１Ａの側縁に裏面側に中空部分を備えるフレーム材１ｂを周設した構成であって、このフレーム材１ｂの下端が前記桟部材３のフランジ３１に支持される状態で取り付けられる。
【００２４】
これらの桟部材３（３Ａ，３Ｂ）、押さえ材４、及び太陽電池パネル１は、以下のように組み付けられる。
取付対象面６Ａに前記構成の桟部材本体３Ａを配し、左右の固定部３２．３２に略矩形状の固定材６ｂを沿わせ、締め付けボルト６ｃ及びナット６ｄにて固定した。この詳細な説明は後記する。
前記本体３Ａの溝部３６１には、締め付けボルト３ｃの頭部を収納させ、該め付けボルト３ｃが、前記定尺材３Ｂを貫通するように配し、そのフランジ３１，３１に前記太陽電池パネル１，１の裏面（＝フレーム材１ｂの裏面）を支持させるように配設する。なお、本体３Ａの配設以前に予め締め付けボルト３ｃの頭部を収納しておくようにしてもよい。
次に、前記締め付けボルト３ｃに、前記押さえ材４を貫通させるように配すると共に押さえ材４の押さえフランジ４１，４１にて太陽電池パネル１．１の端部表面を押さえ付けるように配設する。
この状態で前記締め付けボルト３ｃにナット３ｄを取り付け、締め付けることにより、桟部材３（３Ａ，３Ｂ）を一体化できると共に、太陽電池パネル１，１の端縁を、桟部材３のフランジ３１，３１と押さえ材４の押さえフランジ４１，４１にて上下から挟むように固定することができる。
【００２５】
そして、前述のように前記定尺材３Ｂも押さえ材４もピース材であるため、太陽電池パネル１を固定する箇所以外では、図１（ａ）に示すように前記定尺材３Ｂも押さえ材４も締め付けボルト３ｃもナットも存在しない。そのため、太陽電池パネル１の側面及び底面と桟部材３（３Ａ．３Ｂ）の上面及び側壁との間に、太陽電池パネル１の裏面空間に連通する隙間が形成され、図中に示す矢印に沿って太陽電池パネル１の表面側から雨水と共に塵やほこり、土等を導くことができ、水下側へ排出することができる。
したがって、太陽電池パネル１，１同士の接続部分に堆積する塵やほこり、土等は、雨水と共に太陽電池パネル１の裏面空間に導くことにより、太陽光の発電効率を高く維持できる。
【００２６】
また、この第１実施例では、桟部材３を、連続状の本体３Ａと、フランジを備える定尺材３Ｂとを組み合わせて形成したので、本体３Ａも定尺材３Ｂも簡易な形状とすることができるため、部材作成コストを低く抑えることができる。
さらに、太陽電池パネル１，１の端縁上面を押さえる押さえ材４の押さえフランジ４１と桟部材３のフランジ３１とで上下に挟み込むように固定されているので、極めて取付強度が高い敷設構造となる。
【００２７】
図２及び図３は、前記第１実施例の太陽電池パネル１の敷設構造を用いた外装構造の一例を示すものであって、前記取付対象面以下の構成について説明する。
図示実施例の下地２Ｃは、流れ方向に配設された躯体２Ａ上に略平坦状に略ボード状の下地材２Ｂが敷設され、更にその上面にスレート屋根材２Ｃが段状に敷設されている構成である。
この下地２Ｃ上には、対向する側壁を有する固定部材５が固定され、該固定部材５の側壁間には締着部材７ａの大径部７１を収納し、且つ締着部材７ａをスライド可能に保持する溝部を有する支持部材６Ａが取り付けられる。
【００２８】
前記固定部材５は、図２（ｃ），（ｄ）に示すように下地２Ｃに固定する固定部５１と、この固定部５１から立ち上がる左右一対の側壁５２と、を有する構成であり、前記側壁５２には水上側に向かって開口する長孔溝５２２が形成される。詳しくは、この固定部材５は、側壁５２，５２が水上側に設けられ、水下側には内側が開放する略コ字状の保持部５３，５３が設けられるピース材であり、前記保持部５３は、上方への持ち上がりを防止する規制手段の一態様である。
前記固定部５１には、複数の孔が設けられ、該孔に固定具にて下地２Ｃに固定するが、前記孔（固定具）や固定部５１の下面及び周縁には接着材兼シーリング材を配している。
前記側壁５２は、内側への傾斜部分である折曲部５２１を有する構成（側壁５２の下半が略垂直状、側壁５２の上半が内側へ傾斜状）であり、その配設状態において左右から支持部材６を包持することができ、その上方への持ち上がりを防止することができる。即ちこの折曲部５２１は、上方への規制手段の一態様である。
また、この側壁５２に設けられる長孔溝５２２は、前述のように水上側に向かって開口しており、前記折曲部５２１より上方に設けられ、後述する支持部材６の溝部６１ａに大径部７１が収容された状態の締着部材７ａが遊嵌可能である。
さらに、この取付構造には、太陽電池パネル等の新設用レベルに調整するレベル調整手段が設けられ、該レベル調整手段として、側壁５２，５２の下方をテーパ状とした調整部５４を設けている。この調整部５４は、支持部材６へ固定する太陽電池パネルのレベルを調整するものであり、この調整部５４より上方の側壁５２等と下地面（既存屋根）の勾配に沿う固定部５１間を側面視テーパー状とした。
【００２９】
前記支持部材６Ａは、図２（ｂ），（ｅ）に示すように前述のように締着部材７ａの大径部７１を収納し、且つ締着部材７ａをスライド可能に保持する溝部６１ａを有する構成である。詳しくは、この支持部材６は、中央に空間部６２を有する略門型成形体である比較的短尺な定尺材であって、左右及び頂部に合計５つの溝部６１ａ〜６１ｃを有する構成であり、各溝部６１ａ〜６１ｃは、何れも内部に断面が略矩形状の空間を備え、開放部に内側へせり出した突出部が設けられ、内部空間に収納する取付ボルト等の脱落を防止する構成である。
【００３０】
これらの溝部６１ａ〜６１ｃのうち、左右の中段に設けられ、外側やや上方が開放する溝部６１ａ，６１ａが、前記固定部材５との連結に用いられる締着部材７ａを保持するものであり、頂部の上方が開放する溝部６１ｂは、前記桟部材３（３Ａ）の取り付けに用いられるものであり、左右の下段に設けられる外側が開放する溝部６１ｃは、調整機構として用いられていないが、その略Ｌ字状の先端が前記固定部材５の保持部５３に保持される被保持部６４である。
【００３１】
また、この支持部材６Ａは、前記固定部材５の側壁５２，５２間に配設されて取り付けられるものであり、取付状態において、前記固定部材５の側壁５２の長孔溝５２２の内側に溝部６１ａが連通するように配置される。
前記溝部６１ａに保持させる締着部材７ａは、汎用の六角ボルトであって、その頭部が前記溝部６１ａ内に収納させる大径部７１であり、雄ねじ部分が溝部６１ａ外へ突出するので、この雄ねじ部分を把持して所定位置に調整してもよい。また、この締着部材７ａとしては、予め緩くナット７ｂを連結しておいてもよい。
【００３２】
なお、図２に示すように、流れ方向に隣り合う太陽電池パネル１Ａ，１Ａ間に、キャップ状の覆い材８を配して弾性的に嵌合させることにより、前記ナット７ｂの締め付け部分を、雨水や塵等の侵入に曝されることから保護している。
【００３３】
これらの各部材から構成される外装構造は、図３に示す手順にて組み付けられる。
図３（ａ）には、前記固定部材５の固定部５１に設けた複数の孔に、固定具５０を打ち込んで下地２Ｃに固定した状態が示されている。孔（固定具５０頭部）や固定部５１の下面及び周縁には接着材兼シーリング材５５が配されている。
図３（ｂ）には、前記固定部材５の側壁５２，５２間に、予め締め付けボルト６ｃ，６ｃを取り付けた支持部材６Ａを臨ませた状態が示されている。
図３（ｃ）には、固定部材５の側壁側壁５２，５２間に、支持部材６Ａを配して締め付け部材７ａ，７ｂにて固定した状態が示されている。
図３（ｄ）には、桟部材本体３Ａを配設すると共に、それを取り付けるための矩形状の固定材６ｂ、及びナット６ｄを示している。
図３（ｅ）には、取り付けた桟部材本体３Ａの溝部３６１に、締め付けボルト３ｃを保持させると共に該締め付けボルト３ｃに定尺材３Ｂを貫通させるように配設した状態を示している。
図３（ｆ）には、取り付けた定尺材３Ｂのフランジ３１，３１に、予め太陽電池１Ａの周縁にフレーム材１ｂを一体化させた太陽電池パネル１，１、並びに押さえ材４及びナット３ｄを臨ませた状態が示されている。
図３（ｇ）には、配設した太陽電池パネル１，１の端縁を押さえ材４の押さえフランジ４１，４１にて表面側から押さえるように締め付け固定した状態を示している。
【００３４】
図４（ａ），（ｂ）に示す第２実施例の敷設構造は、桟部材本体３ＡIIが、前記第１実施例における本体３Ａの略肩状の受部（接続受部３４，３４）が設けられず、定尺材３ＢIIが、前記第１実施例における定尺材３Ｂの脚状部（接続部３３，３３）が設けられない以外は全く同様であり、図面に同一符号を付して説明を省略する。
この第２実施例では、前記第１実施例と同様に定尺材３Ｂを配した状態で遊嵌状に取り付けられるが、前記第１実施例では、更に押さえ材４IIを上方から配した状態で安定に弾性係合にて取り付けられるため、より安定にナット３ｄの取付を容易に行うことができる。
【００３５】
図４（ｃ），（ｄ）に示す第３実施例の敷設構造は、桟部材本体３ＡIIIが、塔状部３６の頂部に左右方向へ延在する案内片３６２，３６２が設けられ、定尺材３ＢIIIが、逆ハット型である以外は前記第１実施例と全く同様であり、図面に同一符号を付して説明を省略する。
この第３実施例の定尺材３ＢIIIは逆ハット型であるため、桟部材本体３ＡIIIとフランジ３１，３１との間が大きくなり、その結果、空間自体を大きくすることができ、円滑な排水を促すことができる。
【００３６】
図５（ａ），（ｂ）に示す第４実施例の敷設構造は、桟部材本体３ＡIVが、前記第２実施例における本体３ＡIIとほぼ同様であり、押さえ材４が用いられない代わりに、定尺材３ＢIVが、押さえフランジ３７を備える以外は前記第２実施例と全く同様であり、図面に同一符号を付して説明を省略する。
この第４実施例では、太陽電池パネル１，１を配設する段階で定尺材３ＢIVをその所定位置に取り付けた状態で配設する。
【００３７】
図５（ｃ），（ｄ）に示す第５実施例の敷設構造は、桟部材本体３ＡＶが、前記第３実施例における桟部材本体３ＡIIIと同様に塔状部３６の頂部に左右方向へ延在する案内片３６２，３６２が設けられ、定尺材３ＢＶが、逆ハット型の左右端縁に下向き係合片（３８，３８）を形成した成形体であって、前記案内片３６２，３６２の端縁に係合する係合片３８，３８と、案内片３６２，３６２上に接地する略Ｌ字状の固定片３９，３９（３ｅはビス）とを有する以外は前記第１実施例と全く同様であり、図面に同一符号を付して説明を省略する。
この第５実施例では、前記第１実施例と同様に押さえ材４Ｖを上方から配した状態で弾性係合にて取り付けられ、更にビス３ｅにてより強固に取り付けられる。さらに、前記第３実施例と同様に押さえ材４Ｖは逆ハット型であるため、桟部材本体３ＡＶとフランジ３１，３１との間が大きくなり、前述の第３実施例と同様の効果を奏する。
【符号の説明】
【００３８】
１  太陽電池パネル
１Ａ  太陽電池
１ｂ  フレーム材
２Ｃ  下地（スレート屋根材）
３Ａ  桟部材本体
３ｂ  定尺材
４  押さえ材
５  固定部材
６  支持部材
７ａ，７ｂ  締め付け部材
【図１】
0005880918.tif 000002
【図２】
0005880918.tif 000003
【図３】
0005880918.tif 000004
【図４】
0005880918.tif 000005
【図５】
0005880918.tif 000006